(57)【要約】【課題】免震建物の雨水排水構造であって、見栄えが良く、コンパクトで省スペースを実現した納まりとし、且つ地震時にも破損する虞のない雨水排水構造を提供する。【解決手段】免震建物を構成する上部構造体２に縦樋４を設置すると共に該縦樋４の下端４ａを上部構造体２外周の下端２ａと等しいか僅かに高いレベルに配置し、縦樋４の直下に雨水排水口５の上端を上部構造体２の下端２ａより僅かに低いレベルに配置する。雨水排水口５を基礎１に対し先付け又は後付けで覆い部９を形成することで一体化して構成する。【選択図】    図１
2008223228.tif 000002
【特許請求の範囲】
【請求項１】
免震建物を構成する上部構造体に縦樋を設置すると共に該縦樋の下端を上部構造体外周の下端と等しいか僅かに高いレベルに配置し、前記縦樋の直下に雨水排水口を上部構造体外周の下端より僅かに低いレベルに配置することを特徴とする雨水排水構造。
【請求項２】
前記雨水排水口に雨水排水管が連続しており、該雨水排水管の端部が基礎に対し後付けで一体化して構成されていることを特徴とする請求項１に記載した雨水排水構造。
【請求項３】
前記雨水排水管の端部が覆い部によって保持されており、前記覆い部が基礎に対して一体化して構成されていることを特徴とする請求項２に記載した雨水排水構造。
【発明の詳細な説明】
【技術分野】
【０００１】
本発明は、免震建物を構成する上部構造体に降り付けた雨水を排水するための雨水排水構造に関するものである。
【背景技術】
【０００２】
基礎と建物を含む上部構造体の間に免震材を配置して構成された免震建物では、地震時に基礎と上部構造体との間に相対的な変位が生じる。このため、上部構造体と該上部構造体以外の部位を剛的に繋ぐ部材では、前記変位に対する対策が必要となる。例えば、上部構造体に降り付けた雨水を排水する排水配管の場合、次のように多くの提案がなされている。
【０００３】
特許文献１に記載された技術は、基礎と建物本体とが分割ラインを挟んで相対移動する免震構造建物に取り付けられる縦樋構造に関するものであり、縦樋は、建物本体に固定されると共に雨水を下部開口から排出する建物側縦樋部と、基礎に固定されると共に前記下部開口から排出された雨水が流入する上部開口を有する基礎側縦樋部とに分割されている構成、前記構成に加えて上部開口には下部開口よりも大きな開口面積の受口部が設けられた構成、下部開口と上部開口とが可撓性を有する管状部材によって連結した構造、が記載されている。このような特許文献１の縦樋構造では、下部開口と上部開口を対向させ、両者が分割ラインを挟んで相対移動し得るように構成されているため、免震装置の作動を阻害することがない。
【０００４】
また特許文献２に記載された技術は、縦樋の下端を可撓性を有する縦樋継手を介して地中に埋設された排水管の地面から露出する上端に接続し、縦樋継手をカバー体によって覆うようにしたものである。この技術では、地震の際に縦樋と排水管との接続部分に生じる剪断応力や歪み応力を縦樋継手で吸収し、縦樋の破損を防止することができる。
【０００５】
また特許文献３に記載された技術は、構造物側の縦樋の下端と、地盤側に取り付けられた縦樋の上端とが複数の連結管群により連結されて構成されたものである。この技術では、地震時には複数の連結管群が互いに撓みを生じることにより地震動を吸収する。また地震動が所定の大きさよりも大きい場合、連結管群がはずれることで、上部連結管と下部連結管との連結状態が解除され、縦樋の破壊を防止し得るように構成されている。
【０００６】
また非特許文献１には、地盤面に於ける建物から離隔した位置に排水用の側溝が構成され、建物に取り付けた縦樋の下端部分がクランク状に屈折して形成され、該縦樋のクランク状の先端部分が側溝に対向して配置された構造が記載されている。
【０００７】
【特許文献１】特開２００３−３０１５７５号公報
【特許文献２】特開２００２−１６７９２３号公報
【特許文献３】特開２００４−０４４１１０号公報
【非特許文献１】書籍名；考え方・進め方  免震建築、第６１頁                発行日；平成１７年５月２５日発行、発行所；株式会社オーム社
【発明の開示】
【発明が解決しようとする課題】
【０００８】
上記特許文献１の技術では、基礎側縦樋部が地上から突出して配置されるため、歩行時に衝突して破壊する虞があり、また上部開口に開口面積の大きい受口部を設けた場合にはふつうに見慣れていない外観となり、見栄えが悪くなる虞がある。更に、上下の縦樋を可撓性を有する管状部材によって接続した場合には、地震時の相対的な移動を吸収するにはかなり大きい可撓性を発揮する範囲を設定することが必要となり、見慣れない外観で見栄えが悪くなる虞がある。
【０００９】
また特許文献２の技術では、特許文献１の場合と同様に、地震時の相対的な移動を吸収するにはかなり大きい可撓性を発揮する範囲を設定することが必要となり、見慣れない外観で見栄えが悪くなる虞がある。
【００１０】
また特許文献３の技術では、上下の縦樋が可撓性を有する管を介在させて接続されたものではないため、地震時に上下の縦樋が破損する虞が大きい。また連結管群がはずれたとしても、建物が初期の位置に戻ったとき、はずれた連結管が干渉したり、元の状態に連結することが困難になる虞がある。
【００１１】
また非特許文献１の技術では、縦樋のクランク状部分が犬走りを横切ることとなり、歩行者はこのクランク状部分を跨ぐことが必要となる。このため、歩行者にとって邪魔な存在となり、歩行者が躓く危険が生じたり、縦樋が破損する虞がある。
【００１２】
本発明の目的は、見栄えが良く、コンパクトで省スペースを実現した納まりとし、且つ地震時にも破損する虞のない雨水排水構造を提供することにある。
【課題を解決するための手段】
【００１３】
上記課題を解決するために本発明に係る雨水排水構造は、免震建物を構成する上部構造体に縦樋を設置すると共に該縦樋の下端を上部構造体外周の下端と等しいか僅かに高いレベルに配置し、前記縦樋の直下に雨水排水口を上部構造体外周の下端より僅かに低いレベルに配置したものである。
【００１４】
上記雨水排水構造に於いて、雨水排水口に雨水排水管が連続しており、該雨水排水管の端部が基礎に対し後付けで一体化して構成されていることが好ましく、更に、雨水排水管の端部が覆い部によって保持されており、前記覆い部が基礎に対して一体化して構成されていることが好ましい。
【発明の効果】
【００１５】
本発明に係る雨水排水構造では、免震建物を構成する上部構造体に設置した縦樋が、下端が上部構造体外周の下端と等しいか僅かに高いレベルに配置されており、雨水排水口が、上部構造体の外周下端より僅かに低いレベルに配置されているため、地震時に上部構造体が移動したとき、縦樋と雨水排水口とが衝突することがなく、この移動による悪影響を受けることがない。
【００１６】
本発明の構成によれば、縦樋からの雨水を受ける雨水排水口が特別に大きい開口面積にしなくてもすむため、大きなスペースを必要とせずに雨水を排水することができる。
【００１７】
また雨水排水口に連続した雨水排水管の端部を基礎に対して一体化することで、外観的な違和感をなくすことができ見栄えを良くすることができる。特に、雨水排水管の端部を覆い部によって保持すると共に基礎と一体化することで、歩行者が雨水排水口及び雨水排水管に衝突する虞がなく、日常に於ける破損の虞がない。
【００１８】
また雨水排水口と連続した雨水排水管を後付けで基礎に対し一体化させることによって、雨水排水構造を補修し或いはリフォームする際に、簡単に基礎から分離させることができる。このため、補修作業やリフォームを容易に実施することができる。
【発明を実施するための最良の形態】
【００１９】
以下、上記雨水排水構造の最も好ましい実施形態について説明する。本発明に係る雨水排水構造は、基礎と建物を含む上部構造体との間に免震材を配置することによって地震時に基礎と上部構造体とが相対的に移動して免震効果を発揮し、地震が収まったとき、上部構造体が初期位置に復帰し得るように構成された免震建物を対象として構成されたものである。
【００２０】
本発明に於いて、基礎の構造や上部構造体の構造、更に免震材の構造等は特に限定するものではなく、中低層住宅を含む建物を対象とした上部構造体、基礎、免震材であれば適用することが可能である。
【００２１】
基礎の構造としては、免震材の配置位置のみに構成されたものであっても良く、複数の免震材を同じ面に配置し得るような広い載置面を持った基礎であっても良い。また基礎の周囲に立ち上がり部を形成して上部構造体と基礎との床下間隙を覆うように構成したものでも良く、特別な立ち上がり部を形成することなく、上部構造体と基礎との隙間を露出させた構造であっても良い。
【００２２】
免震材として特に限定するものではないが、摺動子と受板との組み合わせからなる支承材と復元材とによって構成されたもので良い。
【００２３】
上部構造体は免震材に支持されており、地震時には基礎に対して相対的に移動する構造体として構成されている。このような上部構造体としては、ラーメン構造の躯体を有するものを適用することが可能である。
【００２４】
特に、本発明の雨水排水構造は、柱の真下に免震材を配置した構造を持ったラーメン構造の躯体を有し、上部構造体の外周が免震材の配置部位から片持ち状に突出し、且つ上部構造体の外周に対応する部位に該上部構造体の下端よりも低い高さを持った立ち上がり部を有する基礎を構成したような構造であると好ましく適用することが可能である。
【００２５】
本発明に於いて、雨水排水口は縦樋の直下に配置され、該縦樋から流下した雨水を受け入れる機能を有する。そして雨水排水口は前記機能を有するものであれば良く、構造を限定するものではない。即ち、雨水排水口としては配管の端部を開口させて構成したものであって良く、ロート状に形成した部材によって構成したもの或いはエルボ等の配管材料の端部を開口させて構成したものであっても良い。更に、排水用の桝を配置して該桝の上端開口部によって雨水排水口を構成してものであっても良い。
【００２６】
また、本発明では雨水排水口は雨水排水管に連続することで縦樋から流下した雨水を所定の排水系に排水し得るように構成されているが、この雨水排水管が如何なる構造で雨水排水口と連続するかは限定するものではなく、雨水排水口と雨水排水管との間に前述したロート状に形成した部材や配管材料、或いは桝等を介在させることが可能である。
【実施例１】
【００２７】
次に、第１実施例に係る雨水排水構造について図を用いて説明する。図１は第１実施例に係る雨水排水構造を説明する図である。本実施例に於いて、基礎１の所定位置には図示しない複数の免震材が配置されており、該免震材を介して上部建物を含む上部構造体２が設置されている。
【００２８】
基礎１は上面１ａが地盤面３ａと略同じレベルになるように構築されており、周囲には立ち上がり部１ｂが形成されている。立ち上がり部１ｂは、上端面１ｃが上部構造体２の下端面２ａに接触することのない高さに設定されており、これにより、地震時に上部建物２が基礎１の立ち上がり部１ｂを越えて相対的な移動を行えるように構成されている。
【００２９】
尚、本実施例では、基礎１の上面１ａと地盤面３ａとが略同じレベルに設定されているが、この構成に限定するものではなく、基礎１の上面１ａが地盤面３ａよりも低いレベルに設定されていても良く、地盤面３ａよりも高いレベルに設定されていても良い。
【００３０】
上部構造体２の外側所定位置に縦樋４が設置されている。この縦樋４の下端部４ａは、上部構造体２の下端面２ａと等しいか、僅かに高いレベルに配置されている。従って、縦樋４の下端部４ａは基礎１の立ち上がり部１ｂの上端面１ｃよりも高いレベルに配置されることとなり、地震時に基礎１と上部構造体２が相対的に移動しても、縦樋４の下端部４ａが立ち上がり部１ｂに衝突することがない。
【００３１】
上部構造体２に取り付けた縦樋４と対向する位置に雨水排水口５が配置されている。雨水排水管６は、基礎１の近傍に於ける地盤３に埋設されており、雨水排水口５の上端は上部構造体２の下端面２ａよりも僅かに低いレベルに配置されている。この雨水排水口５は、地盤３に埋設された雨水排水管６の上端部分に、テーパー部を有するロート状部材７を接着等の手段で接続して構成されている。
【００３２】
従って、雨水排水口５と縦樋４の下端部４ａとの間には僅かな隙間が形成されることとなり、地震時に雨水排水口５と縦樋４の下端部４ａとが相対的に移動した場合であっても、両者が衝突することがなく、衝突による破損を防止することが可能となる。
【００３３】
雨水排水管６と雨水排水口５は、必ずしも本実施例のように雨水排水管６の上端部にロート状部材７を接続して構成することに限定するものではなく、雨水排水管６の上端開口部を雨水排水口５として利用することも可能である。
【００３４】
また縦樋４の構成や材質、及び設置構造は特に限定するものではなく、通常の建物に取り付けられる縦樋と同様のものであって良い。特に、本実施例では縦樋４の下端部４ａに、雨水排水口５の径よりも大きい径を持ったカバー８を取り付けており、このカバー８を取り付けることによって平時に雨水排水口５を覆うことで、ゴミの進入を防ぐようにしている。また、カバー８が雨水排水口５を覆うことにより、該雨水排水口５が外部から視認されることがなく、外観性能を改善することが可能となる。
【００３５】
雨水排水管６は、基礎１の立ち上がり部１ｂと一体化された覆い部９によって覆われており、雨水排水口５が覆い部９の表面９ａに露出している。覆い部９は雨水排水管６を埋設した後、基礎１の構築と同時にコンクリート又はモルタルによって形成しても良く、基礎１を構築した後、改めて形成しても良い。即ち、覆い部９は基礎１の立ち上がり部１ｂに対し、同時にまたは後付けにより一体的に構成されている。
【００３６】
上記の如く構成された第１実施例に係る雨水排水構造では、地震時に、縦樋４の下端部４ａが基礎１の立ち上がり部１ｂや雨水排水口５に衝突することがない。また雨水排水管６は、地盤３と覆い部９に埋設された構造となり、配管自体が外部に露出することはない。このため、歩行者が雨水排水管６に直接に衝突することがなく破損の虞がない。
【００３７】
更に、雨水排水管６、雨水排水口５がコンクリート又はモルタルからなる覆い部９によって覆われる構造となり、該覆い部９が基礎１の立ち上がり部１ｂとの一体感を有することから、見栄えを損なうことがない。
【実施例２】
【００３８】
次に、第２実施例に係る雨水排水構造について図２により説明する。尚、図に於いて前述の第１実施例と同一の部分及び同一の機能を有する部分には同一の符号を伏して説明を省略する（以下同じ）。
【００３９】
本実施例は、図に示すように、前述の第１実施例実施例に於ける覆い部９となるコンクリート成形体１０を配置して雨水排水管６及び雨水排水口５を覆うように構成したものである。従って、コンクリート成形体１０は、孔１０ａを形成した天板１０ｂが基礎１の立ち上がり部１ｂの上端面１ｃとほぼ同じ高さになるように配置されている。
【００４０】
コンクリート成型体１０は、ロート状部材７によって構成される雨水排水口５を嵌合させる孔１０ａを有する天板１０ｂと、三方向の側面に配置された側板１０ｃと、によって構成されている。そして、側面の開放部分を基礎１の立ち上がり部１ｂの表面１ｄに沿わせて配置すると共に、天板１０ｂの孔１０ａに雨水排水口６ａを嵌合させ、各側板１０ｃの一部を地盤３に埋設することで設置されている。
【００４１】
本実施例に於いて、コンクリート成型体１０を設置する時期は、基礎１の構築と同時、或いは基礎１を構築した後の何れでも良く、建築工事の合間をぬって作業のし易い時期に適宜行うことが可能である。
【００４２】
雨水排水構造を上記の如く構成した場合であっても、雨水排水管６及び雨水排水口５をコンクリート成型体１０によって覆うことが可能であり、雨水排水管６が外部に露出することがなく、従って雨水排水管６に歩行者が直接に衝突して破損することがない。更に、コンクリート成型体１０が基礎１の立ち上がり部１ｂと一体感を有するため見栄えを損なうことがない。
【実施例３】
【００４３】
次に、第３実施例に係る雨水排水構造について図３により説明する。本実施例は、上部構造体２に取り付けた縦樋４の下端４ａに対向させて市販の桝１２を設置し、この桝１２の上端開口１２ａを雨水排水口５として構成したものである。
【００４４】
桝１２は基礎１の立ち上がり部１ｂの表面１ｄに沿って、雨水排水口５が立ち上がり部１ｂの上端面１ｃとほぼ同じ高さ（上部構造体２の下端面２ａよりも低いレベル）になるように配置されており、桝１２の三方向の側面が露出している。このため、桝１２の露出した側面に対応してコ字状の成形体１３が配置されており、この成形体１３によって桝１２の露出面を覆うように構成されている。
【００４５】
桝１２の側面であって地盤３に埋設された部分には雨水排水管１４が接続されており、雨水排水口５となる上端開口１２ａにはグレーチング１５が配置されている。
【００４６】
上記の如く構成された雨水排水構造であっても、地震時に縦樋４の下端部４ａが基礎１の立ち上がり部１ｂや雨水排水口１２に衝突することがなく、且つ桝１２が成型体１３によって覆われた構造となり、桝１２は歩行者が衝突しても壊れることがなく、更に、桝１２及び成型体１３が基礎１の立ち上がり部１ｂと一体感を有するため見栄えを損なうことがない。
【実施例４】
【００４７】
次に、第４実施例に係る雨水排水構造について図４により説明する。本実施例は、基礎１が立ち上がり部１ｂから突出した突出底盤１ｅを有する場合の例である。
【００４８】
本実施例に於いて、雨水排水管６は上部構造体２に取り付けた縦樋４からは突出底盤１ｅの寸法分離隔しており、縦樋４の下端４ａと対向して配置された雨水排水口５との間に屈曲部１７が設けられている。
【００４９】
屈曲部１７は二つのエルボ１７ａ、１７ｂとこれらのエルボ１７ａ、１７ｂを繋ぐ接続管１７ｃとによって構成されており、エルボ１７ａの開口が縦樋４の下端部４ａと対向して配置されると共に、上部構造体２の下端面２ａよりも低いレベルに配置されることで、雨水排水口５としての機能を発揮し得るように構成されている。
【００５０】
またエルボ１７ｂは雨水排水管６に接続され、更に、接続管１７ｃによってエルボ１７ａと接続されることで、雨水排水口５から流入した雨水を雨水排水管６に流すことが可能である。
【００５１】
上記屈曲部１７はコンクリート或いはモルタルによって形成された覆い部１８によって覆われており、雨水排水口５が覆い部１８の表面１８ａに開口している。従って、屈曲部１７を構成する配管類は露出することがない。
【００５２】
上記の如き雨水排水構造では、屈曲部１７は基礎１の突出底盤１ｅが形成された後施工される。そして、基礎１の突出底盤１ｅの上部に屈曲部１７を施工した後、該屈曲部１７の周囲にコンクリート或いはモルタルによって覆い部１８が形成される。
【００５３】
上記の如く構成された雨水排水構造であっても、地震時に縦樋４の下端部４ａが基礎１の立ち上がり部１ｂや雨水排水口１２衝突することがなく、且つ屈曲部１７が覆い部１８によって覆われた構造となり、屈曲部１７を構成する配管類に歩行者が直接に衝突することがなく、破損する虞がない。更に、覆い部１８が基礎１の立ち上がり部１ｂと一体感を有するため見栄えを損なうことがない。
【実施例５】
【００５４】
次に、第５実施例に係る雨水排水構造について図５により説明する。本実施例は縦樋４から雨水排水口５に向けて流下する雨水を確実に該雨水排水口５に導くと共にはねを防ぐようにしたものである。
【００５５】
図に示すように、縦樋４の下端部に弾性と可撓性を有し且つ下端部が雨水排水口５を貫通し得る長さを持った筒体１９が装着されており、該筒体１９によって縦樋４から流下した雨水を雨水排水口５に確実に導入し得るように構成されている。そして筒体１９の下端部が雨水排水口５を貫通しているため、落下した雨水が雨水排水管６に接続されたロート状部材７や桝１２に衝突したような場合であっても、飛沫が雨水排水口５から飛び出すことがない。
【００５６】
筒体１９を構成する材料としては弾性と可撓性を有するものであれば特に限定するものではなく、例えばクロロプレン等からなる薄いゴム管を利用することが可能である。
【００５７】
上記の如く構成された雨水排水構造では、地震時に縦樋４が雨水排水口５に対して変位した場合でも筒体１９が可撓性を有するため、該筒体１９自体が変形し、縦樋４が破損することはない。
【産業上の利用可能性】
【００５８】
本発明に係る雨水排水構造は、地震時に上部構造体と基礎とが相対的に移動しても縦樋４と雨水排水口５が衝突して破損することがなく、且つ雨水排水口５がコンクリート成型体やモルタル等によって覆われるため、基礎１の立ち上がり部１ｂと一体感を有し、見栄えを損なうことがない。このため、免震建物に適用したときに有利である。
【図面の簡単な説明】
【００５９】
【図１】第１実施例に係る雨水排水構造を説明する図である。
【図２】第２実施例に係る雨水排水構造を説明する図である。
【図３】第３実施例に係る雨水排水構造を説明する図である。
【図４】第４実施例に係る雨水排水構造を説明する図である。
【図５】第５実施例に係る雨水排水構造を説明する図である。
【符号の説明】
【００６０】
１                          基礎
１ａ                        上面
１ｂ                        立ち上がり部
１ｃ                        上端面
１ｄ                        表面
１ｅ                        突出底盤
２                          上部構造体
２ａ                        下端面
３                          地盤
３ａ                        地盤面
４                          縦樋
４ａ                        下端部
５                          雨水排水口
６                          雨水排水管
７                          ロート状部材
８                          カバー
９                          覆い部
９ａ                        表面
１０                        コンクリート成形体
１０ａ                      孔
１０ｂ                      天板
１０ｃ                      側板
１２                        桝
１２ａ                      上端開口
１３                        成形体
１４                        雨水排水管
１５                        グレーチング
１７                        屈曲部
１７ａ、１７ｂ              エルボ
１７ｃ                      接続管
１８                        覆い部
１８ａ                      表面
１９                        筒体
【図１】
2008223228.tif 000003
【図２】
2008223228.tif 000004
【図３】
2008223228.tif 000005
【図４】
2008223228.tif 000006
【図５】
2008223228.tif 000007